(57)【特許請求の範囲】
【請求項１】
浴槽内の浴槽水を、ポンプ、フィルタの順で流して浴槽へ戻す循環温浴器において、前記フィルタの上流側流路に配設された電解槽と、前記電解槽内を各室に仕切る隔膜と、前記各室の内の前記電解槽内の両端の滞留室と、この２つの滞留室の間の偶数の電解室と、前記滞留室及び前記電解室のそれぞれの内に配設された電極板と、前記滞留室の下流側端部に接続された排出管と、前記排出管に形成された電磁弁等からなる弁部と、前記電解槽の下流側端部に接続されると共に電解室から流出した浴槽水を前記フィルタに導入する出口側水路と、前記フィルタの下流側端部に接続されると共に浴槽内に浴槽水を吐出する吐出管にフィルタでろ過された浴槽水を導入する水路管と、を備えたことを特徴とする循環温浴器。
【請求項２】
同極に印加された前記電極板が配設された前記電解室の前記出口側水路が連結されていることを特徴とする請求項１に記載の循環温浴器。
【請求項３】
前記フィルタの下流側端部に前記水路管とは別に下流側排水管が接続され、この下流側排水管に下流側排水管用電磁弁が形成され、前記排出管が前記フィルタの上流側端部に接続されていることを特徴とする請求項１又は２に記載の循環温浴器。
【請求項４】
前記ポンプの下流側流路及び前記吐出管のそれぞれに形成された三方弁と、前記出口側水路に形成された逆止弁と、前記フィルタの上流側端部に前記出口側水路、排出管とは別に接続された上流側排水管と、この上流側排水管に形成された上流側排水管用電磁弁と、を備えたことを特徴とする請求項３に記載の循環温浴器。
【発明の詳細な説明】
【０００１】
【発明の属する技術分野】
本発明は、浴槽の浴槽水を浄化する循環温浴器に関するものである。
【０００２】
【従来の技術】
従来の循環温浴器の構成を図９を用いて説明する。図９は従来の循環温浴器の概略構成図である。
【０００３】
図９において、５０は浴槽、５１は循環水路、５２は浴槽内に配設された多孔質スポンジ状ヘアーキャッチャー、５３は循環水路５１に配設された浴槽水を汲み上げるポンプ、５４は循環水路５１に配設された浴槽水を浄化するろ過槽、５５はろ過槽５４内に配設された麦飯石又は多孔質セラミックスボール等のろ過材、５６は循環水路５１に配設され、浄化された浴槽水の温度を一定に保つヒータ、５７ａはヘアーキャッチャー５２とポンプ５３を通水する吸入管、５７ｂはヒータ５６と浴槽５０を通水する吐出管、５８ａはポンプ５３とろ過槽５４を通水する原水管、５８ｂはろ過槽５４とヒータ５６を通水する浄水管である。
【０００４】
以下、従来の循環温浴器における浴槽水の浄化方法について説明する。
浴槽水はヘアーキャッチャ５２を介してポンプ５３により汲み上げられ、浴槽水中の髪毛や糸クズ等の大きなごみがヘアーキャッチャ５２により除去される。ポンプ５３によって汲み上げられ、大きなごみが除去された浴槽水はろ過槽５４内のろ過材５５により浄化された後、ヒータ５６により所定の温度に加熱され、浴槽５０へ戻される。
【０００５】
ろ過槽５４では浴槽水中の好気性浄化細菌をろ過材５５に繁殖させ、浴槽水中の比較的小さいゴミ及び浴槽水中に溶け込んだ汚染物質等を除去する好気性浄化細菌を利用した生物浄化による浄化が行われ、ろ過槽５４内に浴槽水を循環させることによって好気性浄化細菌が浴槽水中に溶け込んだ溶解性有機物を分解し、浴槽水を浄化している。
【０００６】
【発明が解決しようとする課題】
しかしながら、従来の循環温浴器では、浴槽水中の好気性浄化細菌の自然繁殖を利用した生物浄化を行っているため、循環温浴器の設置後好気性浄化細菌が繁殖するための期間（立ち上がり期間）が必要であり、立ち上がり期間中は本来の浄化性能が発揮されないという問題点を有していた。また、浴槽水の水質、入浴者の体質、更に、薬服用者の入浴等による環境の変化で、好気性浄化細菌の繁殖率の低下や死滅等の現象により、浴槽水の浄化性能に欠けるという問題点を有していた。
【０００７】
また、好気性浄化細菌を常に良好な状態で維持するために、循環温浴器の運転中は浴槽水の温度を３５℃以上に保持しておく必要があり、浴槽を使用しない時間帯にも浴槽水の温度を保持する必要があるためヒータを通電する必要があり、ヒータの使用にランニングコストがかかるという問題点を有していた。
【０００８】
更に、循環温浴器を長時間未使用状態にした際、好気性浄化細菌が死滅するため長時間未使用時は、ろ過槽内の洗浄乾燥が必要となり、再使用時は再度立ち上がり期間が必要となる等、メンテナンス面で多くの問題点を有していた。
【０００９】
これにより、好気性浄化細菌による生物浄化を利用しない浴槽水の浄化が可能な循環温浴器が要求されている。
【００１０】
本発明は上記従来の問題点を解決するもので、循環温浴器の設置後すぐに浄化性能が働き、また、使用しない時は期間にかかわらず停止することができ、更に、浴槽使用時以外はヒータを切ることができ、浴槽水の温度の保持が不要で省エネルギー特性や保守管理作業の作業性に優れた循環温浴器を提供することを目的とする。
【００１１】
【課題を解決するための手段】
本発明は、浴槽内の浴槽水を、ポンプ、フィルタの順で流して浴槽へ戻す循環温浴器において、前記フィルタの上流側流路に配設された電解槽と、前記電解槽内を各室に仕切る隔膜と、前記各室の内の前記電解槽内の両端の滞留室と、この２つの滞留室の間の偶数の電解室と、前記滞留室及び前記電解室のそれぞれの内に配設された電極板と、前記滞留室の下流側端部に接続された排出管と、前記排出管に形成された電磁弁等からなる弁部と、前記電解槽の下流側端部に接続されると共に電解室から流出した浴槽水を前記フィルタに導入する出口側水路と、前記フィルタの下流側端部に接続されると共に浴槽内に浴槽水を吐出する吐出管にフィルタでろ過された浴槽水を導入する水路管と、を備えたものである。
【００１２】
この構成により、前記各滞留室及び前記各電解室内に配設された電極板による、浴槽水の電解により凝集作用及び電気透析を利用した汚染物質等の有機物除去を行い、設置後すぐに浴槽水の浄化ができ、使用しない時は期間にかかわらず停止することができ、また、浴槽使用時以外はヒータを切ることができ、浴槽水の温度の保持が不要である生物浄化を利用しない循環温浴器が得られる。
【００１３】
【発明の実施の形態】
本発明の請求項１に記載の発明は、浴槽内の浴槽水を、ポンプ、フィルタの順で流して浴槽へ戻す循環温浴器において、前記フィルタの上流側流路に配設された電解槽と、前記電解槽内を各室に仕切る隔膜と、前記各室の内の前記電解槽内の両端の滞留室と、この２つの滞留室の間の偶数の電解室と、前記滞留室及び前記電解室のそれぞれの内に配設された電極板と、前記滞留室の下流側端部に接続された排出管と、前記排出管に形成された電磁弁等からなる弁部と、前記電解槽の下流側端部に接続されると共に電解室から流出した浴槽水を前記フィルタに導入する出口側水路と、前記フィルタの下流側端部に接続されると共に浴槽内に浴槽水を吐出する吐出管にフィルタでろ過された浴槽水を導入する水路管と、を備えた構成を有している。
【００１４】
これにより、前記各電極板間の交互に異なる極性の直流電圧を印加して浴槽水を電気分解し循環水路内の浴槽水のｐＨを変化させることにより、浴槽水中の一部の溶解性有機物（特に、タンパク質及び脂質）を凝集析出させ、フィルタによりろ過した後、再度ろ過した浴槽水を混合中和して浴槽へ戻し、浴槽水のｐＨを変化させずに有機物の除去ができるという作用を有する。また、各滞留室内の浴槽水（以下、滞留水という）は、各電極板の電圧印加と同時に各々強酸性、強アルカリ性に変化し、各フィルタにより除去されなかった正又は負の電位を帯びた溶解性有機物を電気泳動を利用して隔膜から各滞留室内に透析収集して溶解性有機物を除去した後、各排出管から排出することにより浴槽水の浄化ができるという作用を有する。更に、浴槽水中の好気性浄化細菌を利用した生物浄化を用いないため、設置後すぐに浄化性能が働き、使用しない時は期間にかかわらず停止できるとともに、浴槽を使用しない時はいつでもヒータが切れる、という作用を有する。
【００１５】
ここで、電極板材質として、特に、Ｔｉ（チタン）板を使用し、白金メッキ又は白金焼成コーティングをして表面処理を行ったものが使用され、耐腐性に優れるためによい。
【００１６】
請求項２に記載の発明は、請求項１に記載の循環温浴器において、同極に印加された前記電極板が配設された前記電解室の前記出口側水路が連結された構成を有している。
【００１７】
これにより、電解室を増やした際にもフィルタを増やすことなく浄化が行えるという作用を有する。
【００１８】
請求項３に記載の発明は、前記フィルタの下流側端部に前記水路管とは別に下流側排水管が接続され、この下流側排水管に下流側排水管用電磁弁が形成され、前記排出管が前記フィルタの上流側端部に接続された構成を有する。
【００１９】
これにより、各滞留室において生成した強酸性又は強アルカリ性の浴槽水を各排出管を介して前記各フィルタに流入浸漬し、各フィルタに付着した有機物を溶解させた後、各排出管から強酸性や強アルカリ性の浴槽水を排出できるため、各フィルタの目詰まりを除去し再生できる、という作用を有する。
【００２０】
請求項４に記載の発明は、前記ポンプの下流側流路及び前記吐出管のそれぞれに形成された三方弁と、前記出口側水路に形成された逆止弁と、前記フィルタの上流側端部に前記出口側水路、排出管とは別に接続された上流側排水管と、この上流側排水管に形成された上流側排水管用電磁弁と、を備えた構成を有する。
【００２１】
これにより、浴槽水を三方弁によりフィルタの下流側から逆入させてフィルタに通水し、上流側排水管から排出することにより、フィルタに残留している有機物等を逆洗除去することができ、フィルタの耐久性をさらに延命でき、保守管理が容易になるという作用を有する。
【００２２】
以下、本発明の実施の形態について、図１乃至図９を用いて説明する。
（実施の形態１）
電解槽内の両側に形成された滞留室間に一対の電解室が形成され、電極板が合計４枚の場合の循環温浴器について図１を用いて説明する。
【００２３】
図１は本発明の実施の形態１における循環温浴器の概略構成図である。
図１において、１は浴槽、２は循環水路、３は浴槽１に配設されたヘアーキャッチャー、４は循環水路２に配設されたポンプ、５はヘアーキャッチャー３とポンプ４に連通した吸入管、６は循環水路２に形成された電解槽、７は電解槽６内を各室に仕切る隔膜、８、９は電解槽６内の両側に形成された滞留室、８ａ、９ａは滞留室８、９内に配設された電極板、８ｂ、９ｂは滞留室８、９の底部に形成された排出管、８ｃ、９ｃは排出管８ｂ、９ｂに形成された電磁弁、１０、１１は滞留室８、９の間に隔膜７で仕切られて形成された電解室、１０ａ，１１ａは電解室１０、１１内に配設された電極板、１０ｂ、１１ｂは電解室１０、１１の底部に形成された出口側水路、１２、１３は出口側水路１０ｂ、１１ｂに配設されたフィルタ、１４はフィルタ１２、１３の下流側を連結している水路管、１５は水路管１４と浴槽１に連通した吐出管、１６は吐出管１５に配設されたヒータである。矢印は浴槽水の流れである。
【００２４】
ここで、フィルタとしては糸状のカーボンを巻いたものを用いている。
次に、本実施の形態１における循環温浴器の浴槽水の流れについて説明する。
【００２５】
ポンプ４に通電するとポンプ４の揚水作用で、髪毛や糸くず等の大きなゴミがヘアーキャッチャー３により捕捉され粗ろ過された浴槽水が吸入管５から循環水路２内に給水される。粗ろ過された浴槽水は電解槽６内の電解室１０、１１へ流入し、電解槽６内の電解室１０、１１、フィルタ１２、１３を介して水路管１４を通り、ヒータ１６を介して吐出管１５から浴槽１に吐出される。また、同時に浴槽水は、電解室１０、１１から隔膜７を介して滞留室８、９へ流入し、電解室１０、１１の通水圧力に相当する水頭水位位置まで各滞留室８、９に溜まり込んだ状態となる。
【００２６】
次に、本実施の形態１における循環温浴器の浄化運転について説明する。図２は、浴槽水の濁り成分中の負電位をおびたゼータ電位曲線グラフであり、図３は、浴槽水の濁り成分中の正電位をおびたゼータ電位曲線グラフである。
【００２７】
図２又は図３において、横軸は浴槽水のｐＨ、縦軸はゼータ電位を示している。
【００２８】
電極板８ａ、電極板１０ａ、電極板１１ａ、電極板９ａに交互に異なる極性が加わるように直流電圧を印加する。本実施の形態１では、電極板８ａ、電極板１１ａに陽極を、電極板１０ａ、電極板９ａに陰極を印加する。電極板１１ａに陽極を印加すると電解室１１の浴槽水が酸性になり、一方電極板１０ａに陰極を印加すると電解室１０の浴槽水がアルカリ性になる。
【００２９】
ここで、電極板の極性は逆電圧印加でも同一効果を有し、また交互に逆極性を印加してもよい。
【００３０】
一般的に、浴槽水の濁り成分中の大部分は、ｐＨ７（中性）付近で負（−）のゼータ電位を帯びており、図２に示すように、ｐＨの変化とともにゼータ電位は変化する。浴槽水が酸性になる場合、ゼータ電位は徐々に０Ｖに近付き、特定のｐＨ点になった場合にゼータ電位は±０Ｖになる（以下、等電点という）。更にｐＨが低下して浴槽水の酸性が強くなるとゼータ電位は正（＋）の電位を帯びてくる。
【００３１】
また、浴槽水の濁り成分中の残りの成分は、ｐＨ７（中性）付近で正（＋）のゼータ電位を帯びており、図３に示すように、ｐＨが上昇して浴槽水がアルカリ性になるにつれて、ゼータ電位は徐々に０Ｖに近付き、等電点になった場合にゼータ電位は±０Ｖになる。更に浴槽水のアルカリ性が強くなるとゼータ電位は負（−）の電位を帯びてくる。
【００３２】
以上のことから、電解槽６の電解室１１内で酸性になった浴槽水の濁り成分は、
（１）等電点付近で電位が±０Ｖになり、濁り成分の粒子がファンデルワールス力で引き合って凝集を起こすとともに、フィルタ１３の表面にファンデルワールス力で吸着する。
（２）溶解性の脂肪酸が溶け難くなり析出反応を起こす。
等の現象が起こり、溶解性有機物が懸濁物質として析出して電解室１１の出口側水路１１ｂに配設されたフィルタ１３によりろ過される。
【００３３】
一方、電解槽６の電解室１０内でアルカリ性になった浴槽水の濁り成分は、
（３）等電点付近で電位が±０Ｖになり、濁り成分の粒子がファンデルワールス力で引き合い凝集を起こすとともに、フィルタ１２の表面にファンデルワールス力で吸着する。
（４）ケン化現象により浴槽水中の脂質の析出反応を起こす。
等の現象が起こり、酸性の際と同様に溶解性有機物が懸濁物質として析出して電解室１０の出口側水路１０ｂに配設されたフィルタ１２によりろ過される。
【００３４】
ここで、電解室内で酸性やアルカリ性になった浴槽水（以下、電解水という）は酸性ではｐＨ５．５以下、アルカリ性ではｐＨ９．５以上が溶解性有機物の懸濁物質の凝集や析出に特に有効である。
【００３５】
また、同時に電極板８ａに陽極を印加しているため、滞留室８内の浴槽水（以下、滞留水という）は酸性へ変化して滞留し、時間の経過とともに強酸性水（ｐＨ２以下）になる。更に、電極板８ａは陽極（＋）の電位を帯びているため、電解室１０を通水している浴槽水中の負の電位を帯びた溶解性有機物は電気力により隔膜７を介して滞留室８内に引き込まれて滞留していく。
【００３６】
また、電極板９ａに陰極を印加しているため、滞留室９内の滞留水はアルカリ性へ変化して滞留し、時間の経過とともに強アルカリ性水（ｐＨ１２以上）になる。更に、電極板９ａは、陰極（−）の電位を帯びているため、電解室１１を通水している浴槽水中の正の電位を帯びた溶解性有機物は電気力により隔膜７を介して滞留室９内に引き込まれて滞留していく。
【００３７】
これにより、電気透析の原理を利用して、電解室１０、１１内で凝集や析出ができない溶解性有機物を滞留室８、９へ引き込み、除去ができる。
【００３８】
次に、フィルタ１２、１３によりろ過された酸性及びアルカリ性の電解水は、フィルタ１２、１３の下流側に連結された水路管１４で混合して中和され、ヒータ１６を通過中に所定の温度に加熱、保温されて吐出管１５から浴槽１へ戻される。
【００３９】
更に、一定時間、前記浄化運転を行った後ポンプ４を停止し、電磁弁８ｃ、９ｃを開状態にして滞留室８、９に滞留している溶解性有機物を多く含んだ滞留水を排出管８ｂ、９ｂから排出する。
【００４０】
以上の浄化運転動作を連続して行うことにより、浴槽水中の髪毛や糸クズ等の大きなゴミをヘアーキャッチャーで除去し、更に、循環水路内で浴槽水のｐＨを変化させずに浴槽水中の微小粒子や溶解性有機物等の懸濁物質をろ過、浄化することができるとともに、除去した溶解性有機物を排出でき、浴槽水の浄化ができる。また、電極板を用いて浴槽水の浄化を行うため、浴槽水中の好気性浄化細菌による生物浄化を利用しないとともに、生物浄化を用いないため、設置後すぐに浄化性能が働き、使用しない時は期間に関わらずヒータの電源を切って停止させることができるという作用を有する。
【００４１】
（実施の形態２）
次に、電解槽内に電解室が４室形成され、電極板が合計６枚の場合の実施の形態２について説明する。図４は実施の形態２における循環温浴器の概略構成図である。
【００４２】
図４において、実施の形態１と同一の構造及び仕様の箇所は同一の符合及び名称を用いて説明を省略し、異なる箇所のみを説明する。
【００４３】
２０乃至２３は電解槽６内に隔膜７により仕切られて形成された電解室、２０ａ乃至２３ａは電解室２０乃至２３内に配設された電極板、２４は電解室２０、２２の下流側を連結し、フィルタ１２に連通された出口側水路、２５は電解室２１、２３の下流側を連結し、フィルタ１３に連通された出口側水路である。
【００４４】
以下、本実施の形態２における循環温浴器の浄化運転について説明する。
各電極板２０ａ乃至２３ａ間に交互に異なる極性が加わるように直流電圧を印加する。本実施の形態２では、電極板８ａ、電極板２１ａ、電極板２３ａに陽極を、電極板２０ａ、電極板２２ａ、電極板９ａに陰極を印加した場合について説明する。
【００４５】
電極板２１ａ、電極板２３ａに陽極を印加すると電解室２１、電解室２３内の浴槽水は酸性となり、一方、電極板２０ａ、電極板２２ａに陰極を印加すると電解室２０、電解室２２の浴槽水はアルカリ性になる。各々酸性、アルカリ性になった浴槽水（電解水）は、実施の形態１と同様に溶解性有機物の懸濁物質が析出し、酸性の電解水はフィルタ１３で、またアルカリ性の電解水はフィルタ１２で各々ろ過される。
【００４６】
尚、その他の浄化運転は実施の形態１と同様である。
以上により、実施の形態１と同様な作用を有するとともに、電解室を増やしているため、電解室に循環させる浴槽水量を増した場合でも浄化の効率を下げることなく、浴槽水の浄化を短時間で行えるという作用を有する。
【００４７】
（実施の形態３）
次に、実施の形態３における循環温浴器について図５乃至図７を用いて説明する。図５は実施の形態３における循環温浴器の概略構成図であり、図６は実施の形態３の強酸性水、強アルカリ性水のフィルタ浸漬状態の概略構成図であり、図７は実施の形態３の強酸性水、強アルカリ性水の排出状態の概略構成図である。
【００４８】
図５乃至図７において、実施の形態１と同じ構造及び仕様の箇所は同一符合及び名称を用いて説明を省略し、異なる箇所のみを説明する。
【００４９】
３０、３１は滞留室８、９の底部に形成され、フィルタ１２、１３の上流側に連通された排出管、３０ａ、３１ａは排出管３０、３１に形成された電磁弁、３２、３３はフィルタ１２、１３の下流側に形成された下流側排水管、３２ａ、３３ａは下流側排水管３２、３３に形成された下流側排水管用電磁弁である。
【００５０】
以下、本実施の形態３における循環温浴器の浄化運転について説明する。
図５に示すように、電磁弁３０ａ、３１ａと下流側排水管用電磁弁３２ａ、３３ａを閉じて、一定時間、実施の形態１と同様に浄化運転をした後、ポンプ４を停止し、図６に示すように、電磁弁３０ａ、３１ａを開き、滞留室８内の強酸性の滞留水及び滞留室９内の強アルカリ性の滞留水を、排出管３０、３１からフィルタ１２、１３へ流入させてフィルタ１２、１３を滞留水で浸漬して放置する。
【００５１】
フィルタ１２では、強酸性の滞留水が流入するとフィルタ１２に付着した有機物のゼータ電位が正（＋）の電位に変化するとともに、フィルタ１２のゼータ電位も有機物と同極の正（＋）の電位になるため、フィルタ１２と有機物がお互いに反発し合い有機物がフィルタ１２から離脱する。
【００５２】
また、フィルタ１３では、強アルカリ性の滞留水が流入すると、フィルタ１３に付着した有機物のゼータ電位が負（−）の電位に変化するとともに、フィルタ１３のゼータ電位も有機物と同極の負（−）の電位になるため、フィルタ１３と有機物がお互いに反発し合い有機物がフィルタ１３から離脱する。
【００５３】
更に、一定時間放置後、図７に示すように、下流側排水管用電磁弁３２ａ、３３ａを開け、フィルタ１２、１３に滞留している強酸性の滞留水や強アルカリ性の滞留水を離脱した有機物とともに、下流側排水管３２、３３から排出する。
【００５４】
ここで、本実施の形態３における浄化運転において、電極板８ａ、９ａへ印加する直流電圧を交互に逆極性にして印加にすることにより、フィルタ１２、１３に強酸性や強アルカリ性の滞留水を交互に使用でき、有機物の離脱効果を増すことができる。
【００５５】
また、強酸性としてはｐＨ２以下、強アルカリ性としてはｐＨ１２以上が有効である。
【００５６】
以上により、本実施の形態３における循環温浴器では、実施の形態１と同様の浄化運転を行い、浄化運転中に滞留室内で生成した強酸性や強アルカリ性の滞留水を利用して、フィルタに付着した有機物を離脱除去することができ、フィルタの目詰まりを防ぎ、再生することができるという作用を有する。
【００５７】
（実施の形態４）
次に、実施の形態４における循環温浴器について図８を用いて説明する。図８は、実施の形態４における循環温浴器の概略構成図である。
【００５８】
図８において、実施の形態１及び実施の形態３と同一の構造及び仕様の箇所は同一符合及び名称を用いて説明を省略し、異なる箇所のみを説明する。
【００５９】
４０はポンプ４の下流側に配設された三方弁、４１は水路管１４とヒータ１６間に配設された三方弁であり三方弁４０と一対で、切り替え側の水路が連結されている。４２、４３は出口側水路１０ｂ、１１ｂに形成された逆止弁、４４、４５はフィルタ１２、１３の上流側に形成された上流側排水管、４４ａ、４５ａは上流側排水管４４、４５に形成された上流側排水管用電磁弁である。
【００６０】
ここで、逆止弁４２、４３は電解室１０、１１からフィルタ１２、１３へのみ通水し、逆方向は止水する。
【００６１】
次に、実施の形態４における循環温浴器の浄化運転中の逆洗運転について説明する。
【００６２】
実施の形態３と略同様に浄化運転が行われ、フィルタ１２、１３の強酸性や強アルカリ性の滞留水を下流側排水管３２、３３から排出した後、下流側排水管用電磁弁３２ａ、３３ａを閉じ、三方弁４０を図８に示すように、ポンプ４で汲み上げた浴槽水が三方弁４１側へ流れるように、かつ、三方弁４１を浴槽水が水路管１４からフィルタ１２、１３へ流れるように切り替え、更に、上流側排水管用電磁弁４４ａ、４５ａを開く。これにより、ポンプ４の運転を行った際に、浴槽水が吸入管５から汲み上げられ、ポンプ４、三方弁４０を通って三方弁４１へ通水される。更に、浴槽水は水路管１４からフィルタ１２、１３へ流入し、フィルタ１２、１３の通常のろ過方向に対して逆方向に通水し、強酸性や強アルカリ性の滞留水で離脱してフィルタ１２、１３の表面に付着した有機物等の残留分を水圧により離脱させ、通水された浴槽水とともに上流側排水管用電磁弁４４ａ、４５ａを介して、上流側排水管４４、４５から排出させる。また、フィルタ１２、１３に通水された浴槽水は逆止弁４２、４３により電解室１０、１１への流入が阻止されている。
【００６３】
以上により、本実施の形態４における循環温浴器では、実施の形態１及び実施の形態３と同様に浴槽水の浄化運転ができるとともに、浴槽水をフィルタの下流側から流入させることによりフィルタの逆洗運転ができ、フィルタに付着した有機物等の残留物を除去でき、フィルタの耐久性の向上を図れるという作用を有する。
【００６４】
【発明の効果】
以上のように本発明によれば、循環水路内に電解槽を形成し、電解槽内に配設された電極板により浴槽水の電解による凝集作用及び電気透析を利用した有機物除去を行うことができ、好気性浄化細菌による生物浄化を利用しない浴槽水の浄化ができる。また、循環温浴器の設置後すぐに浄化性能が働き、使用しない時は期間にかかわらず停止することができるとともに、浴槽を使用しない時はヒータを切ることができ、省エネルギー性に優れるという有利な効果が得られる。
【００６５】
また、電極板の枚数を偶数の複数枚にし、両端側の滞留室内の電極板を除き、同極に印加された電極板が配設された電解室の出口側水路をお互いに連結し、出口側水路の各々にフィルタを備えた構造にしても同様の効果が得られる。また、電解室を増やすことにより、循環させる浴槽水量を増やした場合にも浴槽水の浄化を効率よく行えるという効果が得られる。
【００６６】
更に、フィルタを強酸性や強アルカリ性の滞留水に浸漬することにより、フィルタに付着した有機物を溶解除去することができ、フィルタの目詰まりを除去し再生できるため、フィルタの耐久性を向上させることができ、保守管理が容易にできるという優れた効果が得られる。
【００６７】
また、フィルタの下流側から浴槽水を流入させることにより、フィルタに付着した懸濁物質及び溶解性有機物の残留分の逆洗除去ができ、フィルタの耐久性を更に延命できるという優れた効果が得られる。
【図面の簡単な説明】
【図１】実施の形態１における循環温浴器の概略構成図
【図２】浴槽水の濁り成分中の負電位をおびたゼータ電位曲線グラフ
【図３】浴槽水の濁り成分中の正電位をおびたゼータ電位曲線グラフ
【図４】実施の形態２における循環温浴器の概略構成図
【図５】実施の形態３における循環温浴器の概略構成図
【図６】実施の形態３の強酸性水、強アルカリ性水のフィルタ浸漬状態の概略構成図
【図７】実施の形態３の強酸性水、強アルカリ性水の排出状態の概略構成図
【図８】実施の形態４における循環温浴器の概略構成図
【図９】従来の循環温浴器の概略構成図
【符号の説明】
１  浴槽
２  循環水路
３  ヘアーキャッチャー
４  ポンプ
５  吸入管
６  電解槽
７  隔膜
８  滞留室
８ａ  電極板
８ｂ  排出管
８ｃ  電磁弁
９  滞留室
９ａ  電極板
９ｂ  排出管
９ｃ  電磁弁
１０  電解室
１０ａ  電極板
１０ｂ  出口側水路
１１  電解室
１１ａ  電極板
１１ｂ  出口側水路
１２  フィルタ
１３  フィルタ
１４  水路管
１５  吐出管
１６  ヒータ
２０  電解室
２０ａ  電極板
２１  電解室
２１ａ  電極板
２２  電解室
２２ａ  電極板
２３  電解室
２３ａ  電極板
２４  出口側水路
２５  出口側水路
３０  排出管
３０ａ  電磁弁
３１  排出管
３１ａ  電磁弁
３２  下流側排水管
３２ａ  下流側排水管用電磁弁
３３  下流側排水管
３３ａ  下流側排水管用電磁弁
４０  三方弁
４１  三方弁
４２  逆止弁
４３  逆止弁
４４  上流側排水管
４４ａ  上流側排水管用電磁弁
４５  上流側排水管
４５ａ  上流側排水管用電磁弁
５０  浴槽
５１  循環水路
５２  ヘアーキャッチャー
５３  ポンプ
５４  ろ過槽
５５  ろ過材
５６  ヒータ
５７ａ  吸入管
５７ｂ  吐出管
５８ａ  原水管
５８ｂ  浄水管
【図１】
0003700269.tif 000002
【図２】
0003700269.tif 000003
【図３】
0003700269.tif 000004
【図４】
0003700269.tif 000005
【図５】
0003700269.tif 000006
【図６】
0003700269.tif 000007
【図７】
0003700269.tif 000008
【図８】
0003700269.tif 000009
【図９】
0003700269.tif 000010